(57)【要約】【課題】  本発明は、異物が濾過体の孔を閉塞することを抑制し、水の流通性を担保することのできる異物除去装置を提供する。【解決手段】  本発明は、内部空間を画定して少なくとも一端が内部空間と連続して開放した円筒状の濾過体と、濾過体を収容する収容空間を含む装置本体とを備え、濾過体は、多数の孔を有する濾過領域を含み、装置本体は、横方向の中心線を有し且つ濾過体の外径よりも大径に設定され、濾過体が同心で配置される丸孔状の収容空間を有する本体部と、主入口部と、出口部と、異物排出部とを備え、主入口部は、濾過体の外周面に対する接線方向に延び且つ横方向における収容空間の一端側の領域に繋がる主入口流路を画定し、出口部は、横方向に延び且つ濾過体の開放した一端と繋がる出口流路を画定し、異物排出部は、横方向における収容空間の他端側の領域のうちの上下方向の下部領域に繋がる異物排出路を画定する。【選択図】図１
2018130643.tif 000002
【特許請求の範囲】
【請求項１】
内周面及び外周面を有し且つ内周面によって内部空間を画定した円筒状の濾過体であって、内部空間の中心線の延びる方向の両端のうちの少なくとも一端が内部空間と連続して開放した濾過体と、濾過体を収容する収容空間を含む装置本体とを備え、濾過体は、自身の径方向に貫通した孔であって、それぞれが内部空間と外部とを連通させた多数の孔を有する濾過領域を含み、装置本体は、上下方向と直交する横方向に延び且つ濾過体の外径よりも大きな収容空間であって、濾過体が中心線を横方向にして配置される収容空間を有する本体部と、本体部に接続された主入口部と、本体部に接続された出口部と、本体部に接続された異物排出部とを備え、主入口部は、収容空間内の濾過体の外周面に対する接線方向に延び且つ横方向における収容空間の一端側の領域に繋がる主入口流路を画定し、出口部は、横方向に延び且つ横方向における収容空間の他端側にある濾過体の開放した一端と繋がる出口流路を画定し、異物排出部は、横方向における収容空間の他端側の領域のうちの上下方向における下部領域に繋がる異物排出路を画定していることを特徴とする異物除去装置。
【請求項２】
濾過領域は、横方向における収容空間の一端側にある第一端と該第一端の反対側の第二端であって、横方向における収容空間の他端側にある第二端とを有し、濾過体は、横方向で濾過領域の第一端と連続する非濾過領域であって、内部空間と外部とを遮る非濾過領域をさらに含み、濾過領域の第一端と連続する非濾過領域は、横方向における収容空間の一端側の領域の少なくとも主入口部と対応する領域に配置される請求項１に記載の異物除去装置。
【請求項３】
濾過領域は、横方向における収容空間の一端側にある第一端と該第一端の反対側の第二端であって、横方向における収容空間の他端側にある第二端とを有し、濾過体は、横方向で濾過領域の第二端と連続する非濾過領域であって、内部空間と外部とを遮る非濾過領域をさらに含み、濾過領域の第二端と連続する非濾過領域は、横方向における収容空間の他端側の領域の少なくとも異物排出部と対応する領域に配置される請求項１又は２に記載の異物除去装置。
【請求項４】
本体部は、収容空間を画定する内面を有し、該内面は、濾過領域の第二端と連続する非濾過領域の周囲全周から外方に広がり且つ横方向における収容空間の一端側に向く環状面であって、横方向における収容空間の一端側から他端に向けて縮径するテーパ状の環状面を含んでいる請求項３に記載の異物除去装置。
【請求項５】
装置本体は、本体部に接続された副入口部をさらに備え、副入口部は、収容空間内の濾過体の外周面に対する接線方向に延び且つ横方向における収容空間の一端側の領域に繋がる副入口流路を画定し、副入口流路は、横方向から見て、横方向に延びる仮想線を基準に主入口流路と非回転対称である請求項１乃至４の何れか１項に記載の異物除去装置。
【請求項６】
異物除去装置と、給水源と異物除去装置とを繋ぐ一次系統と、所定の機器と異物除去装置とを繋ぐ二次系統と、異物除去装置と異物の排出先とを繋ぐ排出系統を備え、異物除去装置は、内周面及び外周面を有し且つ内周面によって内部空間を画定した円筒状の濾過体であって、内部空間の中心線の延びる方向の両端のうちの少なくとも一端が内部空間と連続して開放した濾過体と、濾過体を収容する収容空間を含む装置本体とを備え、濾過体は、自身の径方向に貫通した孔であって、それぞれが内部空間と外部とを連通させた多数の孔を有する濾過領域を含み、装置本体は、上下方向と直交する横方向に延び且つ濾過体の外径よりも大きな収容空間であって、濾過体が中心線を横方向にして配置される収容空間を有する本体部と、一次系統に繋がる主入口部であって、本体部に接続された主入口部と、二次系統に繋がる出口部であって、本体部に接続された出口部と、排出系統に繋がる異物排出部であって、本体部に接続された異物排出部とを備え、主入口部は、収容空間内の濾過体の外周面に対する接線方向に延び且つ横方向における収容空間の一端側の領域に繋がる主入口流路を画定し、出口部は、横方向に延び且つ横方向における収容空間の他端側にある濾過体の開放した一端と繋がる出口流路を画定し、異物排出部は、横方向における収容空間の他端側の領域のうちの上下方向の下部領域に繋がる異物排出路を画定していることを特徴とする給水系統。
【請求項７】
濾過領域は、横方向における収容空間の一端側にある第一端と該第一端の反対側の第二端であって、横方向における収容空間の他端側にある第二端とを有し、濾過体は、横方向で濾過領域の第一端と連続する非濾過領域であって、内部空間と外部とを遮る非濾過領域をさらに含み、濾過領域の第一端と連続する非濾過領域は、横方向における収容空間の一端側の領域の少なくとも主入口部と対応する領域に配置される請求項６に記載の給水系統。
【請求項８】
濾過領域は、横方向における収容空間の一端側にある第一端と該第一端の反対側の第二端であって、横方向における収容空間の他端側にある第二端とを有し、濾過体は、横方向で濾過領域の第二端と連続する非濾過領域であって、内部空間と外部とを遮る非濾過領域をさらに含み、濾過領域の第二端と連続する非濾過領域は、横方向における収容空間の他端側の領域の少なくとも異物排出部と対応する領域に配置される請求項６又は７に記載の給水系統。
【請求項９】
本体部は、収容空間を画定する内面を有し、該内面は、濾過領域の第二端と連続する非濾過領域の周囲全周から外方に広がり且つ横方向における収容空間の一端側に向く環状面であって、横方向における収容空間の一端側から他端に向けて縮径するテーパ状の環状面を含んでいる請求項８に記載の給水系統。
【請求項１０】
装置本体は、本体部に接続された副入口部をさらに備え、副入口部は、収容空間内の濾過体の外周面に対する接線方向に延び且つ横方向における収容空間の一端側の領域に繋がる副入口流路を画定し、副入口流路は、横方向から見て、横方向に延びる仮想線を基準に主入口流路と非回転対称であり、一次系統は、それぞれが流路を開閉するバルブを含む二つの系統を有し、該二つの系統のうちの一方の系統が主入口部に繋がり、前記二つの系統のうちの他方の系統が副入口部に繋がる請求項６乃至９の何れか１項に記載の給水系統。
【発明の詳細な説明】
【技術分野】
【０００１】
本発明は、機器に供給される水に含まれる異物を除去する異物除去装置及びこれを有する給水系統に関する。
【背景技術】
【０００２】
発電プラントや化学プラント等の設備には、所定の機器に給水する給水系統を有するものがあり、この種の設備において、機器に対して多量の水を供給する必要がある場合、海や、河川、池等が給水源とされることがある。
【０００３】
このように、海や、河川、池等を給水源とした場合、給水源から供給される水に含まれる水中生物やごみ等の異物が、機器を損傷させたり、機器の性能を低下させたりする虞がある。
【０００４】
そのため、この種の設備における給水系統には、水に含まれる異物を除去するための異物除去装置が設置される（例えば、特許文献１参照）。
【０００５】
かかる異物除去装置は、濾過体と、濾過体を配置する収容空間を有する装置本体とを備える。
【０００６】
濾過体は、円筒状に形成され、丸孔状の内部空間を画定する。濾過体は、当該濾過体の径方向に貫通して内部空間と外側とを連通させる多数の孔であって、それぞれの孔径が下流側の機器或いは下流側での処理に悪影響を及ぼす可能性のある異物の外寸の最大寸法よりも小径に設定された多数の孔を有する。
【０００７】
装置本体は、濾過体を収容する収容空間であって、内径が濾過体の外径よりも大径に設定された丸孔状の収容空間を画定した本体部と、本体部に連設された入口部であって、収容空間と連通する入口流路を画定した入口部と、本体部に連設された出口部であって、流用空間と連通する出口流路を画定する出口部とを有する。
【０００８】
本体部の収容空間には、上記構成の濾過体が同心で配置される。これに伴い、本体部の収容空間を画定する内周面と、該収容空間に収容された濾過体の外周面との間には、空間ができている。
【０００９】
入口部の画定した入口流路の中心線は、収容空間内の濾過体の外周に対して接線方向に延びる。すなわち、入口流路の中心線は、収容空間の中心線（濾過体の中心線）に対して直交する方向に延び、且つ自身の延びる方向及び収容空間の中心線（濾過体の中心線）の延びる方向のそれぞれと直交する方向で、収容空間の中心線（濾過体の中心線）に対してずれた位置を通っている。
【００１０】
出口部の画定した出口流路の中心線は、収容空間内の濾過体の径方向に延びる。すなわち、出口流路の中心線は、収容空間の中心線（濾過体の中心線）に対して直交している。
【００１１】
上記構成の異物除去装置は、収容空間の中心線が上下方向に延び且つ入口部が出口部よりも上方に位置するように設置される。
【００１２】
かかる異物除去装置において、入口流路の中心線が収容空間内の濾過体の外周に対して接線方向に延びるとともに、濾過体が多数の孔を有するため、入口流路に給水源からの水が連続的に供給されると、収容空間内に入った水は、上方位置（入口部側）から下方位置（出口部側）に向かうように濾過体の周囲で螺旋状に旋回しつつ濾過体にある多数の孔を通過する。このとき、収容空間に供給された水に含まれる異物も水の流れに従おうとするが、水に含まれる異物は、濾過体の孔の孔径よりも長い部位を有するため、濾過体の孔の周囲に引っ掛かり、濾過体の孔の通過が阻止される。従って、機器或いは処理に悪影響を及ぼす可能性のある異物の除去された水が濾過体の内部空間を通って出口流路に到達する。
【００１３】
これにより、上記構成の異物除去装置は、機器或いは処理に悪影響を及ぼす可能性のある異物の機器側（下流側）への流通を阻止できるため、下流側の機器のトラブルや性能低下を防止できる。
【００１４】
ところで、上記構成の異物除去装置では、上述の如く、収容空間に供給された水が濾過体の周囲で螺旋状に旋回するが、その水の流れ（旋回流）の勢いは、入口流路（上方位置）から出口流路（下方位置）に向かうにつれて弱まる傾向にある。これに伴い、濾過体の周囲で旋回する水に含まれる異物に作用する遠心力は、入口流路（上方位置）よりも出口流路（下方位置）側の方が小さくなるため、異物が濾過体の孔を通過しようとする水に引き込まれて濾過体の外周に付着し、濾過体における出口流路側にある領域の孔を塞いでしまう。
【００１５】
また、この種の異物除去装置では、収容空間の中心線が上下方向に延びているため、出口流路側において、濾過体の多数の孔における水の流通が阻害されると、その周辺での水の流れの勢いがさらに無くなるため、異物の重さ等の影響により、水に含まれる異物が順々に堆積（沈殿）し、この堆積した異物によっても濾過体の孔が塞がれてしまう。
【００１６】
従って、従来の異物除去装置では、異物が濾過体の孔を閉塞し易く、濾過体を通過する水の減少が顕著である。
【先行技術文献】
【特許文献】
【００１７】
【特許文献１】特開２０００−３３４２２３号公報
【発明の概要】
【発明が解決しようとする課題】
【００１８】
そこで、本発明は、異物が濾過体の孔を閉塞することを抑制し、水の流通性を担保することのできる異物除去装置及び給水系統を提供することを課題とする。
【課題を解決するための手段】
【００１９】
本発明の異物除去装置は、内周面及び外周面を有し且つ内周面によって内部空間を画定した円筒状の濾過体であって、内部空間の中心線の延びる方向の両端のうちの少なくとも一端が内部空間と連続して開放した濾過体と、濾過体を収容する収容空間を含む装置本体とを備え、濾過体は、自身の径方向に貫通した孔であって、それぞれが内部空間と外部とを連通させた多数の孔を有する濾過領域を含み、装置本体は、上下方向と直交する横方向に延び且つ濾過体の外径よりも大きな収容空間であって、濾過体が中心線を横方向にして配置される収容空間を有する本体部と、本体部に接続された主入口部と、本体部に接続された出口部と、本体部に接続された異物排出部とを備え、主入口部は、収容空間内の濾過体の外周面に対する接線方向に延び且つ横方向における収容空間の一端側の領域に繋がる主入口流路を画定し、出口部は、横方向に延び且つ横方向における収容空間の他端側にある濾過体の開放した一端と繋がる出口流路を画定し、異物排出部は、横方向における収容空間の他端側の領域のうちの上下方向における下部領域に繋がる異物排出路を画定していることを特徴とする。
【００２０】
本発明の異物除去装置の一態様として、濾過領域は、横方向における収容空間の一端側にある第一端と該第一端の反対側の第二端であって、横方向における収容空間の他端側にある第二端とを有し、濾過体は、横方向で濾過領域の第一端と連続する非濾過領域であって、内部空間と外部とを遮る非濾過領域をさらに含み、濾過領域の第一端と連続する非濾過領域は、横方向における収容空間の一端側の領域の少なくとも主入口部と対応する領域に配置されてもよい。
【００２１】
本発明の異物除去装置の他態様として、濾過領域は、横方向における収容空間の一端側にある第一端と該第一端の反対側の第二端であって、横方向における収容空間の他端側にある第二端とを有し、濾過体は、横方向で濾過領域の第二端と連続する非濾過領域であって、内部空間と外部とを遮る非濾過領域をさらに含み、濾過領域の第二端と連続する非濾過領域は、横方向における収容空間の他端側の領域の少なくとも異物排出部と対応する領域に配置されてもよい。
【００２２】
この場合、本体部は、収容空間を画定する内面を有し、該内面は、濾過領域の第二端と連続する非濾過領域の周囲全周から外方に広がり且つ横方向における収容空間の一端側に向く環状面であって、横方向における収容空間の一端側から他端に向けて縮径するテーパ状の環状面を含んでいることが好ましい。
【００２３】
本発明の異物除去装置の別の態様として、装置本体は、本体部に接続された副入口部をさらに備え、副入口部は、収容空間内の濾過体の外周面に対する接線方向に延び且つ横方向における収容空間の一端側の領域に繋がる副入口流路を画定し、副入口流路は、横方向から見て、横方向に延びる仮想線を基準に主入口流路と非回転対称であってもよい。
【００２４】
本発明の給水系統は、異物除去装置と、給水源と異物除去装置とを繋ぐ一次系統と、所定の機器と異物除去装置とを繋ぐ二次系統と、異物除去装置と異物の排出先とを繋ぐ排出系統を備え、異物除去装置は、内周面及び外周面を有し且つ内周面によって内部空間を画定した円筒状の濾過体であって、内部空間の中心線の延びる方向の両端のうちの少なくとも一端が内部空間と連続して開放した濾過体と、濾過体を収容する収容空間を含む装置本体とを備え、濾過体は、自身の径方向に貫通した孔であって、それぞれが内部空間と外部とを連通させた多数の孔を有する濾過領域を含み、装置本体は、上下方向と直交する横方向に延び且つ濾過体の外径よりも大きな収容空間であって、濾過体が中心線を横方向にして配置される収容空間を有する本体部と、一次系統に繋がる主入口部であって、本体部に接続された主入口部と、二次系統に繋がる出口部であって、本体部に接続された出口部と、排出系統に繋がる異物排出部であって、本体部に接続された異物排出部とを備え、主入口部は、収容空間内の濾過体の外周面に対する接線方向に延び且つ横方向における収容空間の一端側の領域に繋がる主入口流路を画定し、出口部は、横方向に延び且つ横方向における収容空間の他端側にある濾過体の開放した一端と繋がる出口流路を画定し、異物排出部は、横方向における収容空間の他端側の領域のうちの上下方向の下部領域に繋がる異物排出路を画定していることを特徴とする。
【００２５】
本発明の給水系統の一態様として、濾過領域は、横方向における収容空間の一端側にある第一端と該第一端の反対側の第二端であって、横方向における収容空間の他端側にある第二端とを有し、濾過体は、横方向で濾過領域の第一端と連続する非濾過領域であって、内部空間と外部とを遮る非濾過領域をさらに含み、濾過領域の第一端と連続する非濾過領域は、横方向における収容空間の一端側の領域の少なくとも主入口部と対応する領域に配置されてもよい。
【００２６】
本発明の給水系統の他態様として、濾過領域は、横方向における収容空間の一端側にある第一端と該第一端の反対側の第二端であって、横方向における収容空間の他端側にある第二端とを有し、濾過体は、横方向で濾過領域の第二端と連続する非濾過領域であって、内部空間と外部とを遮る非濾過領域をさらに含み、濾過領域の第二端と連続する非濾過領域は、横方向における収容空間の他端側の領域の少なくとも異物排出部と対応する領域に配置されてもよい。
【００２７】
この場合、本体部は、収容空間を画定する内面を有し、該内面は、濾過領域の第二端と連続する非濾過領域の周囲全周から外方に広がり且つ横方向における収容空間の一端側に向く環状面であって、横方向における収容空間の一端側から他端に向けて縮径するテーパ状の環状面を含んでいることが好ましい。
【００２８】
本発明の給水系統の別の態様として、装置本体は、本体部に接続された副入口部をさらに備え、副入口部は、収容空間内の濾過体の外周面に対する接線方向に延び且つ横方向における収容空間の一端側の領域に繋がる副入口流路を画定し、副入口流路は、横方向から見て、横方向に延びる仮想線を基準に主入口流路と非回転対称であり、一次系統は、それぞれが流路を開閉するバルブを含む二つの系統を有し、該二つの系統のうちの一方の系統が主入口部に繋がり、前記二つの系統のうちの他方の系統が副入口部に繋がっていてもよい。
【発明の効果】
【００２９】
本発明によれば、異物が濾過体の孔を閉塞することを抑制し、水の流通性を担保することができるという優れた効果を奏し得る。
【図面の簡単な説明】
【００３０】
【図１】図１は、本発明の一実施形態に係る異物除去装置を採用した設備の一例を示す。
【図２】図２は、同実施形態に係る異物除去装置の平面図を示す。
【図３】図３は、同実施形態に係る異物除去装置の正面図を示す。
【図４】図４は、図２のＩＶ−ＩＶ断面図である。
【図５】図５は、図２のＶ−Ｖ断面図である。
【図６】図６は、図２のＶＩ−ＶＩ断面図である。
【図７】図７は、図２のＶＩＩ−ＶＩＩ断面図である。
【図８】図８は、同実施形態に係る異物除去装置の装置本体（本体部）の収容空間内に対して主入口流路から水が供給されたときの収容空間内の水流についての説明図であって、収容空間の中心線の延びる方向と直交する方向から見た水流を示す説明図である。
【図９】図９は、同実施形態に係る異物除去装置の装置本体（本体部）の収容空間内に対して主入口流路から水が供給されたときの収容空間内の水流についての説明図であって、収容空間の中心線の延びる方向から見た水流を示す説明図である。
【図１０】図１０は、同実施形態に係る異物除去装置の装置本体（本体部）の収容空間内に対して副入口流路から水が供給されたときの収容空間内の水流についての説明図であって、収容空間の中心線の延びる方向と直交する方向から見た水流を示す説明図である。
【図１１】図１１は、同実施形態に係る異物除去装置の装置本体（本体部）の収容空間内に対して副入口流路から水が供給されたときの収容空間内の水流についての説明図であって、収容空間の中心線の延びる方向から見た水流を示す説明図である。
【発明を実施するための形態】
【００３１】
以下、本発明の一実施形態について、添付図面を参照しつつ説明する。まず、異物除去装置を採用した設備の一例である発電設備（ここでは、火力発電設備）の説明を通じて異物除去装置について説明する。
【００３２】
発電設備は、主たる構成として、発電機や、発電機を駆動する蒸気タービン、蒸気タービンに供給するスチームを発生させるボイラ、蒸気タービンから回収されるスチームを水に戻す復水器等を備える。そして、発電設備は、上記機器を備えることを前提に、復水器でのスチームの冷却や、発電機の軸受の冷却等に用いられることによって高温になった液体を冷却する冷却系統を備える。
【００３３】
図１に示す如く、冷却系統１は、熱交換器１０と、熱交換器１０に被熱交換媒体Ｗ１を供給するための第一被熱交換媒体流通系統１１と、熱交換器１０内で熱交換された被熱交換媒体Ｗ１を機器に向けて直接的又は間接的に送るための第二被熱交換媒体流通系統１２と、熱交換器１０に熱交換媒体Ｗ２を供給するための第一熱交換媒体流通系統１３と、熱交換器１０内で熱交換に用いられた熱交換媒体Ｗ２を排出先に送る第二熱交換媒体流通系統１４とを備える。
【００３４】
熱交換器１０には、種々タイプのものがあり、ここでは、プレート式熱交換器が採用される。プレート式熱交換器１０は、重ね合わされた複数の伝熱プレート１００…を備える。これを前提に、プレート式熱交換器１０では、被熱交換媒体Ｗ１を流通させる第一流路（図示しない）と、熱交換媒体Ｗ２を流通させる第二流路（図示しない）とが、伝熱プレート１００…を境にして交互に形成される。
【００３５】
プレート式熱交換器１０は、複数の伝熱プレート１００…に設けられた貫通孔（図示しない）が連なって形成される一対の第一連通路（図示しない）であって、それぞれが第一流路のみに連通する一対の第一連通路と、複数の伝熱プレート１００…に設けられた貫通孔（図示しない）が連なって形成される一対の第二連通路（図示しない）であって、それぞれが第二流路のみに連通する一対の第二連通路とを有する。
【００３６】
さらに、プレート式熱交換器１０は、第一被熱交換媒体流通系統１１が接続される第一接続部１０１であって、第一被熱交換媒体流通系統１１と一方の第一連通路とを連通させる流路を画定する第一接続部１０１と、第二被熱交換媒体流通系統１２が接続される第二接続部１０２であって、第二被熱交換媒体流通系統１２と他方の第一連通路とを連通させる流路を画定する第二接続部１０２と、第一熱交換媒体流通系統１３が接続される第三接続部１０３であって、第一熱交換媒体流通系統１３と一方の第二連通路とを連通させる流路を画定する第三接続部１０３と、第二熱交換媒体流通系統１４が接続される第四接続部１０４であって、第二熱交換媒体流通系統１４と他方の第二連通路とを連通させる流路を画定する第四接続部１０４とを備える。
【００３７】
上記構成のプレート式熱交換器１０においては、第一被熱交換媒体流通系統１１からの被熱交換媒体Ｗ１は、一方の第一連通路から分配されて複数の第一流路を流通した上で、他方の第一連通路で合流して第二被熱交換媒体流通系統１２に流出する。これに対し、第一熱交換媒体流通系統１３からの熱交換媒体Ｗ２は、一方の第二連通路から分配されて複数の第二流路を流通した上で、他方の第二連通路で合流して第二熱交換媒体流通系統１４に流出する。
【００３８】
このように被熱交換媒体Ｗ１及び熱交換媒体Ｗ２は、伝熱プレート１００…を境にした第一流路及び第二流路で流通するため、伝熱プレート１００…を介して熱交換する。本実施形態において、熱交換媒体Ｗ２は、被熱交換媒体Ｗ１よりも低温である。従って、被熱交換媒体Ｗ１は、熱交換媒体Ｗ２との熱交換によって冷却されて第二被熱交換媒体流通系統１２から流出（機器に向けて流出）する。
【００３９】
第一被熱交換媒体流通系統１１は、所定の機器（例えば、図示しない復水器や軸受等）と熱交換器１０の第一接続部１０１とを流体的に接続し、第二被熱交換媒体流通系統１２は、被熱交換媒体Ｗ１の供給先と熱交換器１０の第二接続部１０２とを流体的に接続する。なお、被熱交換媒体Ｗ１を循環させる場合には、被熱交換媒体Ｗ１の供給先は、所定の機器となる。
【００４０】
これに対し、第一熱交換媒体流通系統１３は、所定の機器（本実施形態においては熱交換器１０）に熱交換媒体Ｗ２である水を供給する給水系統であり、給水源Ｓと熱交換器１０の第三接続部１０３とを流体的に接続する。第二熱交換媒体流通系統１４は、熱交換媒体Ｗ２の排出先と熱交換器１０の第四接続部１０４とを流体的に接続する。本実施形態において、熱交換媒体Ｗ２は、海水である。これに伴い、給水源Ｓは海である。また、熱交換媒体Ｗ２の排出先も海Ｓである。すなわち、本実施形態に係る冷却系統１は、被熱交換媒体Ｗ１の冷却に用いられる熱交換媒体Ｗ２である海水を海Ｓから汲み上げて、熱交換後（被熱交換媒体Ｗ１の冷却後）に海Ｓに戻すようになっている。
【００４１】
第一被熱交換媒体流通系統１１、第二被熱交換媒体流通系統１２、第一熱交換媒体流通系統１３、及び第二熱交換媒体流通系統１４のそれぞれは、流路を画定する配管や、流路を開閉するためのバルブＶを備える。これにより、第一被熱交換媒体流通系統１１、及び第二被熱交換媒体流通系統１２は、バルブＶによる流路の開閉により、被熱交換媒体Ｗ１の下流側への流通と停止とを切り替え可能になっており、第一熱交換媒体流通系統１３、及び第二熱交換媒体流通系統１４は、バルブＶによる流路の開閉により、熱交換媒体Ｗ２の下流側への流通と停止とを切り替え可能になっている。
【００４２】
本実施形態において、第一熱交換媒体流通系統１３は、異物除去装置２と、給水源Ｓと異物除去装置２とを繋ぐ一次系統３と、所定の機器である熱交換器１０と異物除去装置２とを繋ぐ二次系統４と、異物除去装置２と異物の排出先とを繋ぐ排出系統５とを備える。
【００４３】
異物除去装置２は、図２及び図３に示す如く、内周面（採番しない）及び外周面（採番しない）を有し且つ内周面によって内部空間Ｓ１を画定した円筒状の濾過体２０であって、内部空間Ｓ１の中心線ＣＬの延びる方向の両端のうちの少なくとも一端が内部空間Ｓ１と連続して開放した濾過体２０と、濾過体２０を収容する収容空間Ｓ２を含む装置本体２１とを備える。
【００４４】
濾過体２０は、図４に示す如く、自身の中心線ＣＬ（内部空間Ｓ１の中心線ＣＬ）を上下方向と直交する横方向にして装置本体２１の収容空間Ｓ２内に配置される。なお、本実施形態において、「上下方向」とは、異物除去装置２が設備（本実施形態においては発電設備）に設置された状態における上下の方向であり、「横方向」とは、異物除去装置２が設備（本実施形態においては発電設備）に設置された状態における上下方向と直交する方向を意味する。
【００４５】
濾過体２０は、自身の径方向に貫通した孔２００…であって、それぞれが内部空間Ｓ１と外部とを連通させた多数の孔２００…を有する濾過領域Ａ１を含む。
【００４６】
濾過領域Ａ１は、横方向における収容空間Ｓ２の一端側にある第一端と該第一端の反対側の第二端であって、横方向における収容空間Ｓ２の他端側にある第二端とを有する。本実施形態において、濾過体２０は、横方向で濾過領域Ａ１の第一端と連続する非濾過領域Ａ２であって、内部空間Ｓ１と外部とを遮る非濾過領域（以下、第一非濾過領域という）Ａ２をさらに含む。また、本実施形態に係る濾過体２０は、横方向で濾過領域Ａ１の第二端と連続する非濾過領域Ａ３であって、内部空間Ｓ１と外部とを遮る非濾過領域（以下、第二非濾過領域という）Ａ３をさらに含む。
【００４７】
濾過領域Ａ１は、円筒状に形成される（図７参照）。濾過領域Ａ１における多数の孔２００…は、内部空間Ｓ１の中心線ＣＬの延びる方向における濾過領域Ａ１の全範囲において、該濾過領域Ａ１の全周に亘って配置されている。多数の孔２００…のそれぞれは、下流側の機器を損傷させたり機器の処理能力を低下させたりする虞のある異物の外寸の最大寸法よりも小さな孔径に設定される。
【００４８】
本実施形態において、給水源Ｓが海であるため、濾過領域Ａ１の多数の孔２００…のそれぞれは、海中に存在する生物や植物、ごみ類等が通過することのないサイズに設定される。また、下流側の機器（海水Ｗ２を供給する機器）がプレート式熱交換器１０であるため、濾過領域Ａ１の多数の孔２００…のそれぞれは、プレート式熱交換器１０の第二流路を詰まらせる虞のある異物のサイズよりも小さな孔径に設定される。すなわち、プレート式熱交換器１０は、隣り合う伝熱プレート１００…間の隙間によって第二流路が形成されるため、濾過領域Ａ１の多数の孔２００…のそれぞれは、隣り合う伝熱プレート１００…の間隔寸法よりも小さなサイズに設定される。濾過領域Ａ１は、第一非濾過領域Ａ２よりも横方向における収容空間Ｓ２の他端側の領域内に配置される。本実施形態に係る濾過体２０は、第一非濾過領域Ａ２の他に第二非濾過領域Ａ３を含むため、濾過領域Ａ１は、第二非濾過領域Ａ３よりも横方向における収容空間Ｓ２の一端側の領域内に配置される。
【００４９】
詳細については後述するが、本実施形態に係る装置本体２１は、図３に示す如く、収容空間Ｓ２に繋がる主入口流路Ｒ１を画定する主入口部２１１、収容空間Ｓ２に繋がる異物排出路Ｒ３を画定する異物排出部２１３、収容空間Ｓ２に繋がる副入口流路Ｒ４を画定する副入口部２１４を備え、主入口部２１１、副入口部２１４及び異物排出部２１３が、横方向における収容空間Ｓ２の一端側から他端側に向けて、主入口部２１１、副入口部２１４、異物排出部２１３の順で配置される。
【００５０】
これに伴い、濾過領域Ａ１は、収容空間Ｓ２における少なくとも副入口流路Ｒ４と対応する領域に配置される。本実施形態において、濾過領域Ａ１は、図４に示す如く、収容空間Ｓ２内において、主入口部２１１（主入口流路Ｒ１）と対応する領域と、異物排出部２１３（異物排出路Ｒ３）と対応する領域との間の領域に配置される。
【００５１】
第一非濾過領域Ａ２は、濾過領域Ａ１と同径の筒状に形成され、濾過領域Ａ１に対して同心で連続する。第一非濾過領域Ａ２は、径方向において非貫通状態で形成される（図５参照）。すなわち、第一非濾過領域Ａ２は、孔のない単なる円筒に形成される。第一非濾過領域Ａ２は、横方向における収容空間Ｓ２の一端側の領域の少なくとも主入口部２１１（主入口流路Ｒ１）と対応する領域に配置される。本実施形態において、第一非濾過領域Ａ２は、装置本体２１（後述する本体部２１０）の収容空間Ｓ２を画定する内面であって、横方向において収容空間Ｓ２の他端側を向く面（後述する閉塞部２１６の内面）と濾過領域Ａ１の第一端との間の全範囲に配置される。
【００５２】
第二非濾過領域Ａ３は、濾過領域Ａ１と同径の筒状に形成され、濾過領域Ａ１に対して同心で連続する。第二非濾過領域Ａ３は、径方向において非貫通状態で形成される（図６参照）。すなわち、第二非濾過領域Ａ３は、孔のない単なる円筒に形成される。第二非濾過領域Ａ３は、横方向における収容空間Ｓ２の他端側の領域の少なくとも異物排出部２１３（異物排出路Ｒ３）と対応する領域に配置される。本実施形態において、第二非濾過領域Ａ３は、装置本体２１の収容空間Ｓ２を画定する内面であって、横方向において収容空間Ｓ２の一端側を向く面（後述する環状面Ｓａ）と濾過領域Ａ１の第二端との間の全範囲に配置される。本実施形態において、第二非濾過領域Ａ３は、横方向において収容空間Ｓ２の一端側を向く面（後述する環状面Ｓａ）を超えて収容空間Ｓ２の外側の位置（後述する出口部２１２内）にまで至っている。
【００５３】
図２及び図３に示す如く、装置本体２１は、上下方向と直交する横方向に延び且つ濾過体２０の外径よりも大きな収容空間Ｓ２であって、濾過体２０が中心線ＣＬを横方向にして配置される収容空間Ｓ２を有する本体部２１０と、本体部２１０に接続された主入口部２１１と、本体部２１０に接続された出口部２１２と、本体部２１０に接続された異物排出部２１３とを備える。本実施形態において、装置本体２１は、本体部２１０に接続された副入口部２１４をさらに備える。
【００５４】
図４に示す如く、本体部２１０は、収容空間Ｓ２を画定する内面を有し、該内面は、濾過体２０の第二非濾過領域Ａ３の周囲全周から外方に広がり且つ横方向における収容空間Ｓ２の一端側に向く環状面Ｓａであって、横方向における収容空間Ｓ２の一端側から他端に向けて縮小するテーパ状の環状面Ｓａを含んでいる。
【００５５】
具体的に説明すると、本体部２１０は、横方向に第一開放端Ｅ１と該第一開放端Ｅ１の反対側の第二開放端Ｅ２を有する筒状本体部２１５と、該筒状本体部２１５の第一開放端Ｅ１によって画定される開口を閉塞する閉塞部２１６とを備える。
【００５６】
筒状本体部２１５は、横方向に第三開放端Ｅ３と該第三開放端Ｅ３の反対側の第四開放端Ｅ４を有する胴部２１７と、胴部２１７の第三開放端Ｅ３に接続されたテーパ筒部２１８を備える。
【００５７】
胴部２１７は、横方向の何れの箇所においても断面環状をなす。本実施形態において、胴部２１７は、第一環状部２１７ａと、第一環状部２１７ａと横方向で連続する第二環状部２１７ｂとを含む。第一環状部２１７ａは、円筒状であり、濾過体２０の外径よりも大きな内径に設定されている。これに対し、第二環状部２１７ｂは、第一環状部２１７ａと同一の曲率半径に設定された円弧部２１９ａであって、曲率中心を第一環状部２１７ａの中心に一致させて第一環状部２１７ａと連続する円弧部２１９ａと、円弧部２１９ａの周方向の両端を繋ぐ底部２１９ｂであって、第一環状部２１７ａの内周面に対して外方に向けて窪んだポケット部ＰＣを形成した底部２１９ｂとを備える。
【００５８】
本実施形態において、第一環状部２１７ａの中心線と第二環状部２１７ｂの円弧部２１９ａの曲率中心とが一致しているため、濾過体２０は、自身の中心線ＣＬを第一環状部２１７ａの中心線と一致させた状態で収容空間Ｓ２に収容される。この状態において、第一環状部２１７ａと濾過体２０との間、及び第二環状部２１７ｂとの間には、所定の隙間が形成される。すなわち、収容空間Ｓ２に収容された濾過体２０の周囲には、一定の空間が形成される。
【００５９】
本実施形態において、テーパ筒部２１８は、横方向の何れの箇所においても断面円環状である。テーパ筒部２１８の内径及び外径は、胴部２１７から遠ざかるにつれて縮径している。すなわち、テーパ筒部２１８は、胴部２１７の第三開放端Ｅ３と接続される大径端Ｅ５と、大径端Ｅ５の反対側の小径端Ｅ６であって、大径端Ｅ５よりも小径な小径端Ｅ６とを有し、大径端Ｅ５から小径端Ｅ６に向けて連続的に傾斜するテーパ状の内周面と外周面とを有する。
【００６０】
大径端Ｅ５は、胴部２１７（第二環状部２１７ｂの円弧部２１９ａ）の第三開放端Ｅ３と同径であり、小径端Ｅ６の内径は、濾過体２０の外径よりも僅かに大きく設定される。これにより、本実施形態において、収容空間Ｓ２は、胴部２１７の内周面によって画定される第一空間領域Ｓ２ａと、テーパ筒部２１８の内周面（環状面）Ｓａによって画定される円錐台状の第二空間領域Ｓ２ｂとを含む。
【００６１】
本実施形態において、テーパ筒部２１８の小径端Ｅ６は、濾過体２０の端部を間接的に支持するようになっている。具体的には、濾過体２０の第二非濾過領域Ａ３の端部（環状面Ｓａを超えて収容空間Ｓ２の外側にある端部）には、環状のシール部材２０１が取り付けられており、シール部材２０１とともに濾過体２０の端部がテーパ筒部２１８の小径端Ｅ６に挿入される。これにより、テーパ筒部２１８の小径端Ｅ６に連続する出口部２１２が、シール部材２０１を介して濾過体２０を支持するようになっている。
【００６２】
閉塞部２１６は、筒状本体部２１５の第一開放端Ｅ１によって画定される開口を閉塞した状態で、筒状本体部２１５内（収容空間Ｓ２）に収容された濾過体２０を支持可能に構成される。本実施形態において、閉塞部２１６は、筒状本体部２１５の第一開放端Ｅ１に対して着脱可能である。すなわち、閉塞部２１６は、筒状本体部２１５の第一開放端Ｅ１によって画定される開口を開閉可能に構成される。これにより、本体部２１０は、閉塞部２１６を筒状本体部２１５から取り外すことで、筒状本体部２１５の第一開放端Ｅ１から濾過体２０を出し入れできるようになっている。
【００６３】
上述の如く、主入口部２１１、副入口部２１４及び異物排出部２１３は、横方向で異なる位置に配置される。すなわち、主入口部２１１、副入口部２１４及び異物排出部２１３は、横方向における収容空間Ｓ２の一端側から他端側に向けて、主入口部２１１、副入口部２１４、異物排出部２１３の順で配置される。
【００６４】
主入口部２１１は、図５に示す如く、収容空間Ｓ２内の濾過体２０の外周面に対する接線方向に延び且つ横方向における収容空間Ｓ２の一端側の領域に繋がる主入口流路Ｒ１を画定している。本実施形態において、主入口部２１１は、収容空間Ｓ２内の濾過体２０の第一非濾過領域Ａ２の外周面に対する接線方向に延びて横方向における収容空間Ｓ２の一端側の領域に繋がる主入口流路Ｒ１を画定している。
【００６５】
具体的には、主入口部２１１は、第一端と該第一端の反対側の第二端とを有する筒状の主入口配管部２１１ａであって、第一端が筒状本体部２１５の外周に接続された主入口配管部２１１ａと、主入口配管部２１１ａの第二端に同心で接続された環状のフランジ部２１１ｂであって、一次系統３が接続されるフランジ部２１１ｂとを備える。
【００６６】
主入口配管部２１１ａの第一端は、図３に示す如く、横方向において、筒状本体部２１５の外周における該筒状本体部２１５の一端側（第一開放端Ｅ１）に偏った位置に接続される。すなわち、主入口配管部２１１ａの第一端は、筒状本体部２１５の外周における第一開放端Ｅ１（胴部２１７の第四開放端Ｅ４）に近い位置で接続される。本実施形態において、図５に示す如く、主入口部２１１（主入口配管部２１１ａ）は、筒状本体部２１５の胴部２１７のうち第一環状部２１７ａに接続される。
【００６７】
主入口配管部２１１ａの内周面及びフランジ部２１１ｂの内周面は、主入口流路Ｒ１を画定する。本実施形態において、主入口配管部２１１ａの内周面及びフランジ部２１１ｂの内周面は、丸孔状の主入口流路Ｒ１を画定する。本実施形態において、主入口流路Ｒ１の中心線ＣＬ１は、濾過体２０の外周面に対する接線方向に延び、濾過体２０の外周面と筒状本体部２１５の胴部２１７（第一環状部２１７ａ）の内周面との間（略中間）を通っている。主入口部２１１（主入口流路Ｒ１）は、上記配置により、収容空間Ｓ２内の濾過体２０における第一非濾過領域Ａ２と対応して配置される。
【００６８】
なお、言うまでもないが、本体部２１０（筒状本体部２１５）に主入口部２１１（主入口配管部２１１ａ）が接続されるに伴い、本体部２１０の筒状本体部２１５の胴部２１７（第一環状部２１７ａ）には、主入口部２１１における主入口配管部２１１ａの開口（主入口流路Ｒ１）と対応する孔（採番しない）が設けられており、収容空間Ｓ２と主入口流路Ｒ１とが連通している。
【００６９】
図４に示す如く、出口部２１２は、横方向に延びる出口流路Ｒ２であって、収容空間Ｓ２内にある濾過体２０の開放した一端と繋がる出口流路Ｒ２を画定している。
【００７０】
具体的には、出口部２１２は、第一端と該第一端の反対側の第二端とを有する筒状の出口配管部２１２ａであって、第一端が筒状本体部２１５の第二開放端Ｅ２に接続された出口配管部２１２ａと、出口配管部２１２ａの第二端に同心で接続された環状のフランジ部２１２ｂであって、二次系統４が接続されるフランジ部２１２ｂとを備える。
【００７１】
本実施形態において、筒状本体部２１５は、テーパ筒部２１８を有するため、筒状本体部２１５の第二開放端Ｅ２は、テーパ筒部２１８の小径端Ｅ６である。これに伴い、出口配管部２１２ａの内径及び外径は、テーパ筒部２１８の小径端Ｅ６と同径に設定され、出口配管部２１２ａの第一端は、テーパ筒部２１８の小径端Ｅ６に接続される。そして、出口配管部２１２ａの内周面及びフランジ部２１２ｂの内周面は、出口流路Ｒ２を画定する。本実施形態において、出口配管部２１２ａの内周面及びフランジ部２１２ｂの内周面は、丸孔状の出口流路Ｒ２を画定する。
【００７２】
異物排出部２１３は、横方向における収容空間Ｓ２の他端側の領域のうちの上下方向の下部領域に繋がる異物排出路Ｒ３を画定している。なお、「上下方向の下部領域」とは、上下方向における収容空間Ｓ２の中心位置を含む中間領域（例えば、収容空間Ｓ２を上下方向に三等分したときの中間にある領域）の下側の領域を意味する。本実施形態において、異物排出部２１３は、収容空間Ｓ２の上下方向の下部領域のうちの最下位置に繋がる異物排出路Ｒ３を画定している。
【００７３】
具体的には、異物排出部２１３は、図６に示す如く、第一端と該第一端の反端側の第二端とを有する筒状の排出配管部２１３ａであって、第一端が筒状本体部２１５の外周の下方に向く位置に接続されて上下方向に延びる排出配管部２１３ａと、排出配管部２１３ａの第二端に同心で接続された環状のフランジ部２１３ｂであって、排出系統５が接続されるフランジ部２１３ｂとを備える。
【００７４】
排出配管部２１３ａの第一端は、図４に示す如く、横方向において、筒状本体部２１５の外周における該筒状本体部２１５の他端側（第二開放端Ｅ２）に偏った位置に接続される。より具体的には、排出配管部２１３ａの第一端は、筒状本体部２１５を構成する胴部２１７の第三開放端Ｅ３に近い位置で接続される。本実施形態において、異物排出部２１３（排出配管部２１３ａ）は、図４及び図６に示す如く、筒状本体部２１５の胴部２１７のうち第二環状部２１７ｂの底部２１９ｂに接続される。排出配管部２１３ａの内周面及びフランジ部２１３ｂの内周面は、収容空間Ｓ２（本実施形態においては、ポケット部ＰＣ）から下方に延びる異物排出路Ｒ３を画定する。本実施形態において、排出配管部２１３ａの内周面及びフランジ部２１３ｂの内周面は、丸孔状の異物排出路Ｒ３を画定する。異物排出部２１３（異物排出路Ｒ３）は、上記配置により、収容空間Ｓ２内の濾過体２０における第二非濾過領域Ａ３と対応して配置される。
【００７５】
なお、言うまでもないが、本体部２１０（筒状本体部２１５）に異物排出部２１３（排出配管部２１３ａ）が接続されるに伴い、本体部２１０の筒状本体部２１５（胴部２１７の第二環状部２１７ｂの底部２１９ｂ）には、異物排出部２１３における排出配管部２１３ａの開口（異物排出路Ｒ３）と対応する孔（採番しない）が設けられており、収容空間Ｓ２と異物排出路Ｒ３とが連通している。
【００７６】
図７に示す如く、副入口部２１４は、収容空間Ｓ２内の濾過体２０の外周面（本実施形態においては、濾過領域Ａ１の外周面）に対する接線方向に延びて収容空間Ｓ２に繋がる副入口流路Ｒ４を画定している。この副入口流路Ｒ４は、横方向から見て、収容空間Ｓ２の横方向に延びる仮想線を基準に主入口流路Ｒ１と非回転対称である（図５参照）。
【００７７】
具体的には、副入口部２１４は、第一端と該第一端の反対側の第二端とを有する筒状の副入口配管部２１４ａであって、第一端が本体部２１０の筒状本体部２１５の外周に接続された副入口配管部２１４ａと、副入口配管部２１４ａの第二端に同心で接続された環状のフランジ部２１４ｂであって、第二配管が接続されるフランジ部２１４ｂとを備える。
【００７８】
副入口配管部２１４ａの第一端は、図３に示す如く、横方向において、筒状本体部２１５の外周における該筒状本体部２１５の一端側（第一開放端Ｅ１）に偏った位置に接続される。具体的には、副入口配管部２１４ａの第一端は、筒状本体部２１５の外周における第一開放端Ｅ１（胴部２１７の第四開放端Ｅ４）に近い位置で接続される。本実施形態において、副入口配管部２１４ａの第一端は、筒状本体部２１５の外周における第一開放端Ｅ１（胴部２１７の第四開放端Ｅ４）に近い位置であって、主入口配管部２１１ａと筒状本体部２１５との接続位置に対して横方向における収容空間Ｓ２の他端側にずれた位置に接続される。
【００７９】
本実施形態において、胴部２１７の第二環状部２１７ｂは、主入口部２１１と近接する位置まで存在している（図４参照）。そのため、図７に示す如く、副入口部２１４（副入口配管部２１４ａ）は、胴部２１７の第二環状部２１７ｂにおける円弧部２１９ａに接続される。
【００８０】
副入口配管部２１４ａの内周面及びフランジ部２１４ｂの内周面は、副入口流路Ｒ４を画定する。本実施形態において、副入口配管部２１４ａの内周面及びフランジ部２１４ｂの内周面は、丸孔状の副入口流路Ｒ４を画定する。本実施形態において、副入口流路Ｒ４の中心線ＣＬ２は、濾過体２０の外周面に対する方向に延び、濾過体２０の外周面と筒状本体部２１５の内周面との間（略中間）を通っている。副入口部２１４（副入口流路Ｒ４）は、上記配置により、収容空間Ｓ２内の濾過体２０の濾過領域Ａ１と対応して配置される。
【００８１】
そして、図５に示す如く、横方向から見て、副入口部２１４（副入口配管部２１４ａ及びフランジ部２１４ｂ）は、横方向に延びる仮想線（本実施形態においては、胴部２１７の第一環状部２１７ａ及び第二環状部２１７ｂの円弧部２１９ａの曲率中心と一致する収容空間Ｓ２内の濾過体２０の中心線ＣＬ）を基準に、主入口部２１１（主入口配管部２１１ａ及びフランジ部２１１ｂ）と非回転対称に配置される。
【００８２】
本実施形態において、主入口部２１１及び副入口部２１４は、横方向からみて、該筒状本体部２１５の中心線に沿った仮想面を基準にして対称に配置される。なお、言うまでもないが、本体部２１０（筒状本体部２１５）に副入口部２１４（副入口配管部２１４ａ）が接続されるに伴い、本体部２１０の筒状本体部２１５には、副入口部２１４における副入口配管部２１４ａの開口（副入口流路Ｒ４）と対応する孔（採番しない）が設けられており、収容空間Ｓ２と副入口流路Ｒ４とが連通している。
【００８３】
図１に戻り、一次系統３は、流路を開閉するバルブＶと、熱交換媒体Ｗ２である海水を給水源Ｓである海から汲み上げて下流側に送るポンプＰとを含む。これに伴い、一次系統３は、給水源Ｓ（本実施形態においては海Ｓ）とポンプＰとを繋ぐ第一配管３０、ポンプＰと異物除去装置２とを繋ぐ第二配管３１とを備える。
【００８４】
本実施形態に係る異物除去装置２において、装置本体２１が主入口部２１１と副入口部２１４とを備えているため、該異物除去装置２を採用した発電設備において、第二配管３１は、ポンプＰの下流側で二つの系統３１ａ，３１ｂに分岐している。二つの系統３１ａ,３１ｂのそれぞれは、流路の開閉を行うバルブＶを備える。そして、一方の系統３１ａは、主入口部２１１に接続され、他方の系統３１ｂは、副入口部２１４に接続される。
【００８５】
具体的には、第二配管３１は、ポンプＰに繋がる主配管３１０と、該主配管３１０と主入口部２１１とを繋ぐ第一系統３１ａであって、流路の開閉を行うバルブＶを含む第一系統と３１ａと、該主配管３１０と副入口部２１４とを繋ぐ第二系統３１ｂであって、流路の開閉を行うバルブＶを含む第二系統３１ｂとを備える。これにより、本実施形態の第一熱交換媒体流通系統１３（給水系統１３）において、第一系統３１ａのバルブＶが流路を開放したときに、第二系統３１ｂのバルブＶが流路を遮断し、第一系統３１ａのバルブＶが流路を遮断したときに、第二系統３１ｂのバルブＶが流路を開放させるようになっている。
【００８６】
二次系統４は、流路を開閉するバルブＶを備える。これに伴い、二次系統４は、異物除去装置２とバルブＶとを繋ぐ第三配管４０と、バルブＶと熱交換媒体Ｗ２の排出先（本実施形態においては海Ｓ）とを繋ぐ第四配管４１とを含む。
【００８７】
排出系統５は、流路を開閉するバルブＶを備える。これに伴い、排出系統５は、異物除去装置２とバルブＶとを繋ぐ第五配管５０と、バルブＶと異物の排出先とを繋ぐ第六配管５１とを含む。排出系統５は、バルブＶによる流路の開閉により、収容空間Ｓ２から異物を排出させる状態と、収容空間Ｓ２内で異物を滞留させる（異物の排出を阻止する）状態とに切り替わるようになっている。
【００８８】
冷却系統１は、以上の通りであり、本実施形態において、通常時においては、第一系統３１ａのバルブＶが開状態にされるとともに、第二系統３１ｂのバルブＶが閉状態にされ、この状態において、一次系統３のポンプＰが駆動される。
【００８９】
そうすると、海Ｓから汲み上げられた海水Ｗ２は、異物除去装置２に到達し、図８及び図９に示す如く、主入口部２１１の画定する主入口流路Ｒ１を通って収容空間Ｓ２内に流入する。この時、主入口流路Ｒ１からの海水Ｗ２は、収容空間Ｓ２に勢いよく流入し、海水Ｗ２に含まれる異物Ｃ…も勢いよく収容空間Ｓ２に入り込むことになるが、収容空間Ｓ２における主入口部２１１（主入口流路Ｒ１）と対応した領域には、濾過体２０の第一非濾過領域Ａ２が存在するため、海水Ｗ２に含まれる異物Ｃ…は、濾過領域Ａ１に直接触れることがなく、濾過領域Ａ１の孔２００…に突き刺さる或いは引っ掛かることはない。そして、異物除去装置２において、主入口流路Ｒ１の中心線ＣＬ１が収容空間Ｓ２内の濾過体２０の外周に対して接線方向に延びるため、主入口流路Ｒ１に海Ｓからの海水Ｗ２が連続的に供給されると、収容空間Ｓ２内に入った水は、収容空間Ｓ２内において濾過体２０の周囲を旋回する。
【００９０】
本実施形態において、装置本体２１の収容空間Ｓ２が横方向に延びているため、主入口部２１１から収容空間Ｓ２に流入した海水Ｗ２は、濾過体２０の周囲を螺旋状に旋回し、図８に示す如く、横方向に（主入口部２１１側から出口部２１２側に向けて）進む。このとき、海水Ｗ２は濾過体２０の多数の孔２００…を通り、濾過体２０の内部空間Ｓ１に進入し、出口部２１２に向かう。一方、海水Ｗ２に含まれる異物Ｃ…の多くには、海水Ｗ２の流れ（旋回流）による遠心力が作用するため、多くに異物Ｃ…は、本体部２１０の筒状本体部２１５の内周面側を通ることになり、主入口部２１１から出口部２１２側に進む。
【００９１】
しかしながら、収容空間Ｓ２内における海水Ｗ２の旋回流の勢いは、主入口部２１１側よりも出口部２１２側ほど弱まる。そうすると、異物Ｃ…に作用する遠心力も弱まり、異物Ｃ…自身の重さが遠心力よりも勝ると、該異物Ｃ…は、収容空間Ｓ２の下部（胴部２１７の底部２１９ｂ）に向けて落ちることになる。本実施形態において、異物排出部２１３の異物排出路Ｒ３は、横方向において主入口部２１１とは反対側の位置で、収容空間Ｓ２から下方に向けて延びるため、収容空間Ｓ２の下部に向けて落ちた異物Ｃ…は、異物排出路Ｒ３或いはその周辺（本実施形態においては、ポケット部ＰＣ）に集まることになる。
【００９２】
本実施形態において、濾過体２０が第二非濾過領域Ａ３を有し、該第二非濾過領域Ａ３が収容空間Ｓ２における異物排出路Ｒ３と対応した領域に配置されるため、海水Ｗ２の旋回流の勢いの弱まった領域において、異物Ｃ…が濾過体２０側に引き込まれる水の流れがない。これにより、より多くの異物Ｃ…が収容空間Ｓ２の下部（胴部２１７の底部２１９ｂ）に向けて落下する。
【００９３】
さらには、海水Ｗ２に含まれる異物Ｃ…には、種々のものがあるため、旋回流の弱まった領域であっても、勢いを落とすことなく筒状本体部２１５の内周面側で螺旋状に旋回し、さらに進行するものがあるが、本実施形態の異物除去装置２では、その異物Ｃ…の進行をコントロールし、異物排出部２１３に誘導することもできる。
【００９４】
具体的には、濾過体２０周りで螺旋状に旋回する海水Ｗ２は、筒状本体部２１５の胴部２１７の内周面に沿って流れた上で、筒状本体部２１５のテーパ筒部２１８の内周面（環状面）Ｓａに沿って流れる。これに伴い、海水Ｗ２は、テーパ筒部２１８の内周面（環状面）Ｓａのテーパによって収容空間Ｓ２の中心側に寄って行き、行き場がなるため、濾過体２０の第二非濾過領域Ａ３に沿って逆戻りする。
【００９５】
これに伴い、主入口部２１１側から異物排出部２１３と対応する位置を超えて進行する異物Ｃ…は、筒状本体部２１５のテーパ筒部２１８の内周面（環状面Ｓａ）に沿うように移動した後、第二非濾過領域Ａ３に沿うように移動する。この状態において、海水Ｗ２の旋回流の勢いも格段に落ちるため、異物Ｃ…に対する遠心力も落ちる。その結果、遠心力の作用が小さくなった異物Ｃ…は、自身の重さにより、収容空間Ｓ２の下部領域（胴部２１７の底部２１９ｂ）に落下し、異物排出路Ｒ３或いはその周辺（本実施形態においてはポケット部ＰＣ）に集まることになる。
【００９６】
これにより、本実施形態に係る異物除去装置２は、濾過体２０に異物Ｃ…が張り付いてしまうことが抑制され、海水Ｗ２の流通が確保される。そして、異物排出路Ｒ３及びその周辺に異物Ｃ…が堆積すると、異物排出路Ｒ３に繋がる配管のバルブＶが開状態にされることで、堆積していた異物Ｃ…が引き込まれて排出される。
【００９７】
上述の如く、本実施形態に係る異物除去装置２は、多くの異物Ｃ…を収容空間Ｓ２の下部（胴部２１７の底部２１９ｂ）に集めることができるが、異物Ｃ…の中には濾過体２０の孔２００…を通過する海水Ｗ２に引き込まれ、濾過体２０の外周に張り付く異物Ｃ…も存在する。このような異物Ｃ…を放置しておくと、海水Ｗ２の流れが少なくなる。
【００９８】
そこで、本実施形態に係る冷却系統１では、定期的又は不定期に、第一系統３１ａのバルブＶが閉状態にされるとともに、第二系統３１ｂのバルブＶが開状態にされる。更には、これに併せ或いはその後に、異物排出部２１３に繋がる排出系統５のバルブＶが開状態にされる。これにより、濾過体２０の外周に付着した異物Ｃ…が、濾過体２０から取り除かれ、該異物Ｃ…の排出先に排出される。
【００９９】
具体的に説明すると、第一系統３１ａのバルブＶが閉状態にされるとともに、第二系統３１ｂのバルブＶが開状態にされると、図１０及び図１１に示す如く、海水Ｗ２は、副入口部２１４の画定する副入口流路Ｒ４を通って収容空間Ｓ２内に流入する。異物除去装置２において、副入口流路Ｒ４の中心線ＣＬ２が収容空間Ｓ２内の濾過体２０の外周に対して接線方向に延びるため、副入口流路Ｒ４に海Ｓからの海水Ｗ２が連続的に供給されると、収容空間Ｓ２内に入った海水Ｗ２は、収容空間Ｓ２内の濾過体２０の周囲において、主入口部２１１から海水Ｗ２を流入させたときの反対周りで旋回する。
【０１００】
そして、図１０に示す如く、装置本体２１の収容空間Ｓ２が横方向に延びているため、副入口部２１４から収容空間Ｓ２に流入した海水Ｗ２は、濾過体２０の周囲を螺旋状に旋回し、横方向に（副入口部２１４側から出口部２１２側に向けて）進む。そうすると、濾過体２０の孔２００…を通過しようとしていた異物Ｃ…（濾過体２０に張り付いた異物Ｃ…）が濾過体２０の外周から取り除かれる。
【０１０１】
具体的には、図１１に示す如く、海水Ｗ２が濾過体２０の周囲で旋回すると、海水Ｗ２や異物Ｃ…は濾過体２０の孔２００…に対して該濾過体２０の外周に対する接線方向に進入する傾向にある。そのため、濾過体２０に付着した異物Ｃ…が海水Ｗ２の旋回方向とは反対方向に向けて濾過体２０の外周から突出していることが多い。
【０１０２】
従って、通常時とは反対向きの流れを作ることで、濾過体２０の外周から突出した異物Ｃ…に対し、濾過体２０の孔２００…に進入する方向とは反対側の力が作用する。
【０１０３】
これにより、濾過体２０に付着した異物Ｃ…は、該濾過体２０から取り除かれる。そして、図１０に示す如く、濾過体２０から取り除かれた異物Ｃ…は、主入口流路Ｒ１から海水Ｗ２を流入させた場合と同様に、異物排出路Ｒ３及びその周辺に集まる。従って、異物排出部２１３に繋がる配管のバルブＶを開状態にすることで、濾過体２０に付着していた異物Ｃ…が異物排出路Ｒ３を介して排出先に排出される。
【０１０４】
従って、異物除去装置２の出口部２１２（出口流路Ｒ２）を通って供給される海水Ｗ２には、下流側の機器のトラブルの原因となる異物Ｃ…（本実施形態においてはプレート式熱交換器１０の伝熱プレート１００…間にある第二流路を詰まらせる可能性のある異物Ｃ…）が含まれることがないため、下流側の機器（本実施形態においてはプレート式熱交換器１０）の性能を維持できる。また、異物除去装置２の海水Ｗ２の処理量が安定するため、下流側の機器での処理の安定性も確保できる。
【０１０５】
以上のように、本実施形態に係る異物除去装置２は、内周面及び外周面を有し且つ内周面によって内部空間Ｓ１を画定した円筒状の濾過体２０であって、内部空間Ｓ１の中心線ＣＬの延びる方向の両端のうちの少なくとも一端が内部空間Ｓ１と連続して開放した濾過体２０と、濾過体２０を収容する収容空間Ｓ２を含む装置本体２１とを備え、濾過体２０は、自身の径方向に貫通した孔２００…であって、それぞれが内部空間Ｓ１と外部とを連通させた多数の孔２００…を有する濾過領域Ａ１を含み、装置本体２１は、上下方向と直交する横方向に延び且つ濾過体２０の外径よりも大きな収容空間Ｓ２であって、濾過体２０が中心線ＣＬを横方向にして配置される収容空間Ｓ２を有する本体部２１０と、本体部２１０に接続された主入口部２１１と、本体部２１０に接続された出口部２１２と、本体部２１０に接続された異物排出部２１３とを備え、主入口部２１１は、収容空間Ｓ２内の濾過体２０の外周面に対する接線方向に延び且つ横方向における収容空間Ｓ２の一端側の領域に繋がる主入口流路Ｒ１を画定し、出口部２１２は、横方向に延び且つ横方向における収容空間Ｓ２の他端側にある濾過体２０の開放した一端と繋がる出口流路Ｒ２を画定し、異物排出部２１３は、横方向における収容空間Ｓ２の他端側の領域のうちの上下方向の下部領域に繋がる異物排出路Ｒ３を画定しているため、濾過体２０に対する異物Ｃ…の付着を抑え、該異物Ｃ…の回収（排出）も可能である。
【０１０６】
また、本実施形態に係る異物除去装置２において、濾過領域Ａ１は、横方向における収容空間Ｓ２の一端側にある第一端と該第一端の反対側の第二端であって、横方向における収容空間Ｓ２の他端側にある第二端とを有し、濾過体２０は、横方向で濾過領域Ａ１の第一端と連続する非濾過領域（第一非濾過領域）Ａ２であって、内部空間Ｓ１と外部とを遮る非濾過領域Ａ２をさらに含み、濾過領域Ａ１の第一端と連続する非濾過領域Ａ２は、横方向における収容空間Ｓ２の一端側の領域の少なくとも主入口部２１１（主入口流路Ｒ１）と対応する領域に配置されているため、主入口部２１１（主入口流路Ｒ１）付近において濾過体２０に異物Ｃ…が付着してしまうことを抑制できる。
【０１０７】
また、本実施形態に係る異物除去装置２において、濾過領域Ａ１は、横方向における収容空間Ｓ２の一端側にある第一端と該第一端の反対側の第二端であって、横方向における収容空間Ｓ２の他端側にある第二端とを有し、濾過体２０は、横方向で濾過領域Ａ１の第二端と連続する非濾過領域（第二非濾過領域）Ａ３であって、内部空間Ｓ１と外部とを遮る非濾過領域Ａ３をさらに含み、濾過領域Ａ１の第二端と連続する非濾過領域Ａ３は、横方向における収容空間Ｓ２の他端側の領域の少なくとも異物排出部２１３（異物排出路Ｒ３）と対応する領域に配置されているため、異物Ｃ…が濾過体２０側に引き寄せられることを抑え、該異物Ｃ…を異物排出部２１３及びその周辺に集めることができる。
【０１０８】
さらに、本実施形態に係る異物除去装置２において、本体部２１０は、収容空間Ｓ２を画定する内面を有し、該内面は、濾過領域Ａ１の第二端と連続する非濾過領域Ａ３の周囲全周から外方に広がり且つ横方向における収容空間Ｓ２の一端側に向く環状面Ｓａであって、横方向における収容空間Ｓ２の一端側から他端に向けて縮径するテーパ状の環状面Ｓａを含んでいるため、異物排出部２１３を超えて移動する異物Ｃ…を、再度、異物排出部２１３に向けて誘導でき、該異物Ｃ…を異物排出部２１３及びその周辺に集めることができる。
【０１０９】
本実施形態に係る異物除去装置２において、装置本体２１は、本体部２１０に接続された副入口部２１４をさらに備え、副入口部２１４は、収容空間Ｓ２内の濾過体２０の外周面に対する接線方向に延び且つ横方向における収容空間Ｓ２の一端側の領域に繋がる副入口流路Ｒ４を画定し、副入口流路Ｒ４は、横方向から見て、横方向に延びる仮想線を基準に主入口流路Ｒ１と非回転対称であるため、濾過体２０に付着した異物Ｃ…を該濾過体２０から取り除いた上で、該異物Ｃ…の回収（排出）も可能である。
【０１１０】
本実施形態に係る給水系統１３は、異物除去装置２と、給水源Ｓと異物除去装置２とを繋ぐ一次系統３と、所定の機器（プレート式熱交換器１０）と異物除去装置２とを繋ぐ二次系統４と、異物除去装置２と異物Ｃ…の排出先とを繋ぐ排出系統５を備え、異物除去装置２は、内周面及び外周面を有し且つ内周面によって内部空間Ｓ１を画定した円筒状の濾過体２０であって、内部空間Ｓ１の中心線ＣＬの延びる方向の両端のうちの少なくとも一端が内部空間Ｓ１と連続して開放した濾過体２０と、濾過体２０を収容する収容空間Ｓ２を含む装置本体２１とを備え、濾過体２０は、自身の径方向に貫通した孔２００…であって、それぞれが内部空間Ｓ１と外部とを連通させた多数の孔２００…を有する濾過領域Ａ１を含み、装置本体２１は、上下方向と直交する横方向に延び且つ濾過体２０の外径よりも大きな収容空間Ｓ２であって、濾過体２０が中心線ＣＬを横方向にして配置される収容空間Ｓ２を有する本体部２１０と、一次系統３に繋がる主入口部２１１であって、本体部２１０に接続された主入口部２１１と、二次系統４に繋がる出口部２１２であって、本体部２１０に接続された出口部２１２と、排出系統５に繋がる異物排出部２１３であって、本体部２１０に接続された異物排出部２１３とを備え、主入口部２１１は、収容空間Ｓ２内の濾過体２０の外周面に対する接線方向に延び且つ横方向における収容空間Ｓ２の一端側の領域に繋がる主入口流路Ｒ１を画定し、出口部２１２は、横方向に延び且つ横方向における収容空間Ｓ２の他端側にある濾過体２０の開放した一端と繋がる出口流路Ｒ２を画定し、異物排出部２１３は、横方向における収容空間Ｓ２の他端側の領域のうちの上下方向の下部領域に繋がる異物排出路Ｒ３を画定しているため、上記異物除去装置２と同様に、濾過体２０に対する異物Ｃ…の付着を抑え、該異物Ｃ…の回収（排出）も可能である。
【０１１１】
また、本実施形態に係る給水系統１３の異物除去装置２において、濾過領域Ａ１は、横方向における収容空間Ｓ２の一端側にある第一端と該第一端の反対側の第二端であって、横方向における収容空間Ｓ２の他端側にある第二端とを有し、濾過体２０は、横方向で濾過領域Ａ１の第一端と連続する非濾過領域（第一非濾過領域）Ａ２であって、内部空間Ｓ１と外部とを遮る非濾過領域Ａ２をさらに含み、濾過領域Ａ１の第一端と連続する非濾過領域Ａ２は、横方向における収容空間Ｓ２の一端側の領域の少なくとも主入口部２１１（主入口流路Ｒ１）と対応する領域に配置されているため、主入口部２１１（主入口流路Ｒ１）付近において濾過体２０に異物Ｃ…が付着してしまうことを抑制できる。
【０１１２】
また、本実施形態に係る給水系統１３の異物除去装置２において、濾過領域Ａ１は、横方向における収容空間Ｓ２の一端側にある第一端と該第一端の反対側の第二端であって、横方向における収容空間Ｓ２の他端側にある第二端とを有し、濾過体２０は、横方向で濾過領域Ａ１の第二端と連続する非濾過領域（第二非濾過領域）Ａ３であって、内部空間Ｓ１と外部とを遮る非濾過領域Ａ３をさらに含み、濾過領域Ａ１の第二端と連続する非濾過領域Ａ３は、横方向における収容空間Ｓ２の他端側の領域の少なくとも異物排出部２１３（異物排出路Ｒ３）と対応する領域に配置されているため、異物Ｃ…が濾過体２０側に引き寄せられることを抑え、該異物Ｃ…を異物排出部２１３及びその周辺に集めることができる。
【０１１３】
さらに、本実施形態に係る給水系統１３の異物除去装置２において、本体部２１０は、収容空間Ｓ２を画定する内面を有し、該内面は、濾過領域Ａ１の第二端と連続する非濾過領域Ａ３の周囲全周から外方に広がり且つ横方向における収容空間Ｓ２の一端側に向く環状面Ｓａであって、横方向における収容空間Ｓ２の一端側から他端に向けて縮径するテーパ状の環状面Ｓａを含んでいるため、異物排出部２１３を超えて移動する異物Ｃ…を、再度異物排出部２１３に向けて誘導でき、該異物Ｃ…を異物排出部２１３及びその周辺に集めることができる。
【０１１４】
また、本実施形態に係る給水系統１３の異物除去装置２において、装置本体２１は、本体部２１０に接続された副入口部２１４をさらに備え、副入口部２１４は、収容空間Ｓ２内の濾過体２０の外周面に対する接線方向に延び且つ横方向における収容空間Ｓ２の一端側の領域に繋がる副入口流路Ｒ４を画定し、副入口流路Ｒ４は、横方向から見て、横方向に延びる仮想線を基準に主入口流路Ｒ１と非回転対称であり、一次系統３は、それぞれが流路を開閉するバルブＶを含む二つの系統３１ａ，３１ｂを有し、該二つの系統３１ａ，３１ｂのうちの一方の系統３１ａが主入口部２１１に繋がり、前記二つの系統３１ａ，３１ｂのうちの他方の系統３１ｂが副入口部２１４に繋がるため、濾過体２０に付着した異物Ｃ…を該濾過体２０から取り除いた上で、該異物Ｃ…の回収（排出）も可能である。
【０１１５】
なお、本発明は、上記実施形態に限定されるものではなく、本発明の要旨を逸脱しない範囲において、適宜変更を加え得ることは勿論である。
【０１１６】
上記実施形態において、異物除去装置２が火力発電設備に採用されたが、これに限定されない。例えば、異物除去装置２は、化学プラントや食品製造設備等の種々の設備に採用されてもよい。また、上記実施形態において、水の給水源Ｓが海であったが、これに限定されない。例えば、給水源Ｓは、河川、池、湖等であっても勿論よい。
【０１１７】
上記実施形態に係る異物除去装置２は、収容空間Ｓ２に水Ｗ２を供給する入口として、主入口部２１１と副入口部２１４とを備えたが、これに限定されない。例えば、異物除去装置２は、水Ｗ２を供給する入口として、主入口部２１１のみを備えてもよい。
【０１１８】
この場合、上記実施形態のように、装置本体２１の本体部２１０において、閉塞部２１６が筒状本体部２１５に対して着脱可能に構成されれば、濾過体２０を収容空間Ｓ２から取り出すことができるため、仮に濾過体２０に異物Ｃ…が付着したとしても、濾過体２０を収容空間Ｓ２から取り出して異物Ｃ…を除去することができる。
【０１１９】
また、濾過体２０が横方向で収容空間Ｓ２から取り出されるため、上下方向で収容空間から濾過体を取り出す従来の異物除去装置に比して、濾過体２０の取り出しや組み込みの作業効率は格段に向上する。なお、作業者による異物Ｃ…の除去作業の頻度を下げるには、上記実施形態のように副入口部２１４を設けることが好ましいことは言うまでもない。
【０１２０】
上記実施形態において、濾過体２０は、多数の孔２００…を有する濾過領域Ａ１と、孔２００…のない二つの非濾過領域Ａ２，Ａ３（第一非濾過領域Ａ２、第二非濾過領域Ａ３）とを含んだが、これに限定されない。例えば、濾過体２０は、濾過領域Ａ１と、濾過領域Ａ１と連続する一つの非濾過領域Ａ２，Ａ３とを備え、その一つの非濾過領域Ａ２，Ａ３が、収容空間Ｓ２における異物排出部２１３（異物排出路Ｒ３）又は主入口部２１１（主入口流路Ｒ１）と対応する領域に配置されてもよい。
【０１２１】
この場合においても、非濾過領域Ａ３が、収容空間Ｓ２における異物排出部２１３（異物排出路Ｒ３）と対応する領域に配置されれば、異物Ｃ…の内部空間Ｓ１への引き込み（濾過体２０に対する張り付き）が抑制され、非濾過領域Ａ３が、収容空間Ｓ２における主入口部２１１（主入口流路Ｒ１）と対応する領域に配置されれば、濾過領域Ａ１に対する異物Ｃ…の突き刺さりや引っ掛かりを抑制できる。
【０１２２】
なお、言うまでもないが、上記実施形態のように、濾過体２０が、収容空間Ｓ２における異物排出部２１３（異物排出路Ｒ３）と対応する領域に配置される第二非濾過領域Ａ３と、収容空間Ｓ２における主入口部２１１（主入口流路Ｒ１）と対応する領域に配置される第一非濾過領域Ａ２とを含むことが好ましいことは言うまでもない。
【０１２３】
上記実施形態において、濾過体２０は、多数の孔２００…を有する濾過領域Ａ１と、孔２００…のない非濾過領域Ａ２，Ａ３（第一非濾過領域Ａ２、第二非濾過領域Ａ３）とを含んだが、これに限定されない。例えば、濾過体２０の全体が濾過領域Ａ１とされてもよい。このようにしても、水の旋回流の勢いのない領域においては、異物Ｃ…は自身の重さにより異物排出部２１３に向けて落下するため、多くの異物Ｃ…が異物排出路Ｒ３及びその周辺に集まることになり、異物排出路Ｒ３から排出先に排出することができる。但し、上述の如く、異物Ｃ…に種々のものがあるため、上記実施形態と同様に、濾過体２０は、収容空間Ｓ２における主入口流路Ｒ１と対応する領域に配置される第一非濾過領域Ａ２を有したり、収容空間Ｓ２における異物排出路Ｒ３と対応する領域に配置される第二非濾過領域Ａ３を有したりすることが好ましいことは言うまでもない。
【０１２４】
上記実施形態において、収容空間Ｓ２を画定する内面を構成する環状面Ｓａであって、濾過体２０の第二非濾過領域Ａ３の周囲から外方に広がる環状面Ｓａがテーパ状にされたが、これに限定されない。例えば、収容空間Ｓ２を画定する内面を構成する環状面Ｓａであって、濾過体２０の周囲から外方に広がり且つ横方向における収容空間Ｓ２の一端側を向く環状面Ｓａは、横方向に対して直交又は略直交する方向に広がってもよい。但し、異物排出路Ｒ３を超えて移動する異物Ｃ…が存在する場合、上記実施形態のように、環状面Ｓａをテーパ状にすることが好ましいことは言うまでもない。
【０１２５】
上記実施形態において、濾過体２０の両端が開放したが、これに限定されない。例えば、濾過体２０は、筒状に形成されることを前提に、出口部２１２（出口流路Ｒ２）に繋がる一端を開放させ、反対側の他端を閉塞させたものであってもよい。
【０１２６】
上記実施形態において、筒状本体部２１５の胴部２１７が、第一環状部２１７ａと、第一環状部２１７ａと連続する第二環状部２１７ｂとを含み、第二環状部２１７ｂが円弧部２１９ａと、ポケット部ＰＣを形成した底部２１９ｂとを備えたが、これに限定されない。例えば、筒状本体部２１５の胴部２１７は、横方向の全長において、同径で且つ同サイズの円筒状に形成されてもよい。すなわち、収容空間Ｓ２は、横方向の全長に亘って丸孔状に形成されてもよい。
【０１２７】
上記実施形態において、異物排出部２１３の異物排出路Ｒ３が上下方向における収容空間Ｓ２の下部領域（最下位置）から下方に延びるように形成されたが、これに限定されない。例えば、異物排出部２１３の異物排出路Ｒ３は、収容空間Ｓ２の下部領域に繋がることを前提に、横方向に延びるように形成されてもよい。また、異物排出路Ｒ３は、直線状の経路に限定されるものでもない。また、異物排出部２１３の異物排出路Ｒ３は、収容空間Ｓ２の下部領域のみに繋がったものに限定されない。例えば、収容空間Ｓ２を上下方向に三等分した場合において、異物排出部２１３の異物排出路Ｒ３は、収容空間Ｓ２の下部領域（三等分された領域のうちの最も下にある領域）に加えて収容空間Ｓ２の中間領域（三等分された三つの領域のうちの中間にある領域）にも繋がっていてもよい。すなわち、異物排出部２１３の異物排出路Ｒ３は、少なくとも収容空間Ｓ２の下部領域に繋がっていればよい。
【０１２８】
上記実施形態において、特に言及しなかったが、本体部２１０の閉塞部２１６と濾過体２０が一体的に構成されてもよいし、本体部２１０の閉塞部２１６と濾過体２０とが別個独立に構成されても勿論よい。何れにしても、濾過体２０の交換或いは濾過体２０に付着（残存）する異物Ｃ…の除去等が可能となる。
【符号の説明】
【０１２９】
１…冷却系統、２…異物除去装置、３…一次系統、４…二次系統、５…排出系統、１０…プレート式熱交換器（熱交換器：所定の機器）、１１…第一被熱交換媒体流通系統、１２…第二被熱交換媒体流通系統、１３…第一熱交換媒体流通系統（給水系統）、１４…第二熱交換媒体流通系統、２０…濾過体、２１…装置本体、３０…第一配管、３１…第二配管、３１ａ…第一系統（分岐した系統）、３１ｂ…第二系統（分岐した系統）、４０…第三配管、４１…第四配管、５０…第五配管、５１…第六配管、１００…伝熱プレート、１０１…第一接続部、１０２…第二接続部、１０３…第三接続部、１０４…第四接続部、２００…孔、２０１…シール部材、２１０…本体部、２１１…主入口部、２１１ａ…主入口配管部、２１１ｂ…フランジ部、２１２…出口部、２１２ａ…出口配管部、２１２ｂ…フランジ部、２１３…異物排出部、２１３ａ…排出配管部、２１３ｂ…フランジ部、２１４…副入口部、２１４ａ…副入口配管部、２１４ｂ…フランジ部、２１５…筒状本体部、２１６…閉塞部、２１７…胴部、２１７ａ…第一環状部、２１７ｂ…第二環状部、２１８…テーパ筒部、２１９ａ…円弧部、２１９ｂ…底部、３１０…主配管、Ａ１…濾過領域、Ａ２…第一非濾過領域（非濾過領域）、Ａ３…第二非濾過領域（非濾過領域）、Ｃ…異物、ＣＬ…中心線、ＣＬ１…中心線、ＣＬ２…中心線、Ｅ１…第一開放端、Ｅ２…第二開放端、Ｅ３…第三開放端、Ｅ４…第四開放端、Ｅ５…大径端、Ｅ６…小径端、ＰＣ…ポケット部、Ｐ…ポンプ、Ｒ１…主入口流路、Ｒ２…出口流路、Ｒ３…異物排出路、Ｒ４…副入口流路、Ｓ…海（給水源）、Ｓ１…内部空間、Ｓ２…収容空間、Ｓ２ａ…第一空間領域、Ｓ２ｂ…第二空間領域、Ｓａ…環状面、Ｖ…バルブ、Ｗ１…被熱交換媒体、Ｗ２…海水（熱交換媒体）
【図１】
2018130643.tif 000003
【図２】
2018130643.tif 000004
【図３】
2018130643.tif 000005
【図４】
2018130643.tif 000006
【図５】
2018130643.tif 000007
【図６】
2018130643.tif 000008
【図７】
2018130643.tif 000009
【図８】
2018130643.tif 000010
【図９】
2018130643.tif 000011
【図１０】
2018130643.tif 000012
【図１１】
2018130643.tif 000013
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
内周面及び外周面を有し且つ内周面によって内部空間を画定した円筒状の濾過体であって、内部空間の中心線の延びる方向の両端のうちの少なくとも一端が内部空間と連続して開放した濾過体と、濾過体を収容する収容空間を含む装置本体とを備え、濾過体は、自身の径方向に貫通した孔であって、それぞれが内部空間と外部とを連通させた多数の孔を有する濾過領域を含み、装置本体は、上下方向と直交する横方向に延び且つ濾過体の外径よりも大きな収容空間であって、濾過体が中心線を横方向にして配置される収容空間を有する本体部と、本体部に接続された主入口部と、本体部に接続された副入口部と、本体部に接続された出口部と、本体部に接続された異物排出部とを備え、主入口部は、収容空間内の濾過体の外周面に対する接線方向に延び且つ横方向における収容空間の一端側の領域に繋がる主入口流路を画定し、副入口部は、収容空間内の濾過体の外周面に対する接線方向に延び且つ横方向における収容空間の一端側の領域に繋がる副入口流路を画定し、出口部は、横方向に延び且つ横方向における収容空間の他端側にある濾過体の開放した一端と繋がる出口流路を画定し、異物排出部は、横方向における収容空間の他端側の領域のうちの上下方向における下部領域に繋がる異物排出路を画定し、副入口流路は、横方向から見て、横方向に延びる仮想線を基準に主入口流路と非回転対称であることを特徴とする異物除去装置。
【請求項２】
濾過領域は、横方向における収容空間の一端側にある第一端と該第一端の反対側の第二端であって、横方向における収容空間の他端側にある第二端とを有し、濾過体は、横方向で濾過領域の第一端と連続する非濾過領域であって、内部空間と外部とを遮る非濾過領域をさらに含み、濾過領域の第一端と連続する非濾過領域は、横方向における収容空間の一端側の領域の少なくとも主入口部と対応する領域に配置される請求項１に記載の異物除去装置。
【請求項３】
濾過領域は、横方向における収容空間の一端側にある第一端と該第一端の反対側の第二端であって、横方向における収容空間の他端側にある第二端とを有し、濾過体は、横方向で濾過領域の第二端と連続する非濾過領域であって、内部空間と外部とを遮る非濾過領域をさらに含み、濾過領域の第二端と連続する非濾過領域は、横方向における収容空間の他端側の領域の少なくとも異物排出部と対応する領域に配置される請求項１又は２に記載の異物除去装置。
【請求項４】
本体部は、収容空間を画定する内面を有し、該内面は、濾過領域の第二端と連続する非濾過領域の周囲全周から外方に広がり且つ横方向における収容空間の一端側に向く環状面であって、横方向における収容空間の一端側から他端に向けて縮径するテーパ状の環状面を含んでいる請求項３に記載の異物除去装置。
【請求項５】
異物除去装置と、給水源と異物除去装置とを繋ぐ一次系統と、所定の機器と異物除去装置とを繋ぐ二次系統と、異物除去装置と異物の排出先とを繋ぐ排出系統を備え、異物除去装置は、内周面及び外周面を有し且つ内周面によって内部空間を画定した円筒状の濾過体であって、内部空間の中心線の延びる方向の両端のうちの少なくとも一端が内部空間と連続して開放した濾過体と、濾過体を収容する収容空間を含む装置本体とを備え、濾過体は、自身の径方向に貫通した孔であって、それぞれが内部空間と外部とを連通させた多数の孔を有する濾過領域を含み、装置本体は、上下方向と直交する横方向に延び且つ濾過体の外径よりも大きな収容空間であって、濾過体が中心線を横方向にして配置される収容空間を有する本体部と、本体部に接続された主入口部と、本体部に接続された副入口部と、二次系統に繋がる出口部であって、本体部に接続された出口部と、排出系統に繋がる異物排出部であって、本体部に接続された異物排出部とを備え、主入口部は、収容空間内の濾過体の外周面に対する接線方向に延び且つ横方向における収容空間の一端側の領域に繋がる主入口流路を画定し、副入口部は、収容空間内の濾過体の外周面に対する接線方向に延び且つ横方向における収容空間の一端側の領域に繋がる副入口流路を画定し、出口部は、横方向に延び且つ横方向における収容空間の他端側にある濾過体の開放した一端と繋がる出口流路を画定し、異物排出部は、横方向における収容空間の他端側の領域のうちの上下方向の下部領域に繋がる異物排出路を画定し、副入口流路は、横方向から見て、横方向に延びる仮想線を基準に主入口流路と非回転対称であり、一次系統は、それぞれが流路を開閉するバルブを含む二つの系統を有し、該二つの系統のうちの一方の系統が主入口部に繋がり、前記二つの系統のうちの他方の系統が副入口部に繋がることを特徴とする給水系統。
【請求項６】
濾過領域は、横方向における収容空間の一端側にある第一端と該第一端の反対側の第二端であって、横方向における収容空間の他端側にある第二端とを有し、濾過体は、横方向で濾過領域の第一端と連続する非濾過領域であって、内部空間と外部とを遮る非濾過領域をさらに含み、濾過領域の第一端と連続する非濾過領域は、横方向における収容空間の一端側の領域の少なくとも主入口部と対応する領域に配置される請求項５に記載の給水系統。
【請求項７】
濾過領域は、横方向における収容空間の一端側にある第一端と該第一端の反対側の第二端であって、横方向における収容空間の他端側にある第二端とを有し、濾過体は、横方向で濾過領域の第二端と連続する非濾過領域であって、内部空間と外部とを遮る非濾過領域をさらに含み、濾過領域の第二端と連続する非濾過領域は、横方向における収容空間の他端側の領域の少なくとも異物排出部と対応する領域に配置される請求項５又は６に記載の給水系統。
【請求項８】
本体部は、収容空間を画定する内面を有し、該内面は、濾過領域の第二端と連続する非濾過領域の周囲全周から外方に広がり且つ横方向における収容空間の一端側に向く環状面であって、横方向における収容空間の一端側から他端に向けて縮径するテーパ状の環状面を含んでいる請求項７に記載の給水系統。
【手続補正２】
【補正対象書類名】明細書
【補正対象項目名】００１９
【補正方法】変更
【補正の内容】
【００１９】
本発明の異物除去装置は、内周面及び外周面を有し且つ内周面によって内部空間を画定した円筒状の濾過体であって、内部空間の中心線の延びる方向の両端のうちの少なくとも一端が内部空間と連続して開放した濾過体と、濾過体を収容する収容空間を含む装置本体とを備え、濾過体は、自身の径方向に貫通した孔であって、それぞれが内部空間と外部とを連通させた多数の孔を有する濾過領域を含み、装置本体は、上下方向と直交する横方向に延び且つ濾過体の外径よりも大きな収容空間であって、濾過体が中心線を横方向にして配置される収容空間を有する本体部と、本体部に接続された主入口部と、本体部に接続された副入口部と、本体部に接続された出口部と、本体部に接続された異物排出部とを備え、主入口部は、収容空間内の濾過体の外周面に対する接線方向に延び且つ横方向における収容空間の一端側の領域に繋がる主入口流路を画定し、副入口部は、収容空間内の濾過体の外周面に対する接線方向に延び且つ横方向における収容空間の一端側の領域に繋がる副入口流路を画定し、出口部は、横方向に延び且つ横方向における収容空間の他端側にある濾過体の開放した一端と繋がる出口流路を画定し、異物排出部は、横方向における収容空間の他端側の領域のうちの上下方向における下部領域に繋がる異物排出路を画定し、副入口流路は、横方向から見て、横方向に延びる仮想線を基準に主入口流路と非回転対称であることを特徴とする。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】変更
【補正の内容】
【００２４】
本発明の給水系統は、異物除去装置と、給水源と異物除去装置とを繋ぐ一次系統と、所定の機器と異物除去装置とを繋ぐ二次系統と、異物除去装置と異物の排出先とを繋ぐ排出系統を備え、異物除去装置は、内周面及び外周面を有し且つ内周面によって内部空間を画定した円筒状の濾過体であって、内部空間の中心線の延びる方向の両端のうちの少なくとも一端が内部空間と連続して開放した濾過体と、濾過体を収容する収容空間を含む装置本体とを備え、濾過体は、自身の径方向に貫通した孔であって、それぞれが内部空間と外部とを連通させた多数の孔を有する濾過領域を含み、装置本体は、上下方向と直交する横方向に延び且つ濾過体の外径よりも大きな収容空間であって、濾過体が中心線を横方向にして配置される収容空間を有する本体部と、本体部に接続された主入口部と、本体部に接続された副入口部と、二次系統に繋がる出口部であって、本体部に接続された出口部と、排出系統に繋がる異物排出部であって、本体部に接続された異物排出部とを備え、主入口部は、収容空間内の濾過体の外周面に対する接線方向に延び且つ横方向における収容空間の一端側の領域に繋がる主入口流路を画定し、副入口部は、収容空間内の濾過体の外周面に対する接線方向に延び且つ横方向における収容空間の一端側の領域に繋がる副入口流路を画定し、出口部は、横方向に延び且つ横方向における収容空間の他端側にある濾過体の開放した一端と繋がる出口流路を画定し、異物排出部は、横方向における収容空間の他端側の領域のうちの上下方向の下部領域に繋がる異物排出路を画定し、副入口流路は、横方向から見て、横方向に延びる仮想線を基準に主入口流路と非回転対称であり、一次系統は、それぞれが流路を開閉するバルブを含む二つの系統を有し、該二つの系統のうちの一方の系統が主入口部に繋がり、前記二つの系統のうちの他方の系統が副入口部に繋がることを特徴とする。
【手続補正５】
【補正対象書類名】明細書
【補正対象項目名】００２８
【補正方法】削除
【補正の内容】
【手続補正６】
【補正対象書類名】明細書
【補正対象項目名】０１１７
【補正方法】削除
【補正の内容】
【手続補正７】
【補正対象書類名】明細書
【補正対象項目名】０１１８
【補正方法】削除
【補正の内容】
【手続補正８】
【補正対象書類名】明細書
【補正対象項目名】０１１９
【補正方法】削除
【補正の内容】